(57)【要約】【課題】コンピュータの状態に関わらず、ディスプレイの画面表示の中断を容易に防止できる外部記憶媒体および情報処理システムを提供する。【解決手段】情報処理装置３で読み取り可能な外部記憶媒体４であって、情報処理装置３に対して、情報処理装置３の操作に伴い出力される操作信号を予め設定された所定間隔で出力する操作信号出力プログラム５５と、情報処理装置３に操作信号出力プログラム５５を自動実行させるための自動実行スクリプト５６と、を記憶する。【選択図】図２
2009151442.tif 000002
【特許請求の範囲】
【請求項１】
情報処理装置で読み取り可能な外部記憶媒体であって、
前記情報処理装置に対して、前記情報処理装置の操作に伴い出力される操作信号を予め設定された所定間隔で出力する操作信号出力プログラムと、
前記情報処理装置に前記操作信号出力プログラムを自動実行させるための自動実行スクリプトと、を記憶することを特徴とする外部記憶媒体。
【請求項２】
前記操作信号出力プログラムは、
前記情報処理装置から、当該情報処理装置に設定された省電力モードへの移行時間に関する設定情報を取得し、
前記設定情報よりも短い前記所定間隔で前記操作信号を出力することを特徴とする請求項１に記載の外部記憶媒体。
【請求項３】
前記外部記憶媒体は、ＵＳＢメモリであることを特徴とする請求項１または２に記載の外部記憶媒体。
【請求項４】
請求項１ないし３のいずれか１項の外部記憶媒体と、
前記外部記憶媒体を読み取る情報処理装置と、から構成される情報処理システムであって、
前記情報処理装置は、
前記外部記憶媒体が接続されたことを検出する検出手段と、
前記外部記憶媒体に記憶された所定のプログラムを実行するプログラム実行手段と、を備え、
前記プログラム実行手段は、
前記検出手段による検出をトリガとして、前記外部記憶媒体に記憶された前記自動実行スクリプトにより前記操作信号出力プログラムを実行することを特徴とする情報処理システム。
【発明の詳細な説明】
【技術分野】
【０００１】
本発明は、情報処理装置で読み取り可能な外部記憶媒体および情報処理システムに関するものである。
【背景技術】
【０００２】
従来、コンピュータ（ＰＣ）の消費電力を節減するために、コンピュータの使用状況に応じてコンピュータに接続されたディスプレイの電源を制御し、消費電力を節減することが行われている。例えば、コンピュータからの入力信号（キー入力信号やＲＧＢ信号等）が所定時間検出されない場合、電源管理装置によりディスプレイへの電源供給を停止することで省電力モードに移行し、消費電力を節減する（例えば、特許文献１参照）。
【特許文献１】特開２００４−１６３５０９号公報
【発明の開示】
【発明が解決しようとする課題】
【０００３】
ところで、コンピュータの使用形態によっては、上記のように省電力モードに移行させたくない場合がある。例えば、プロジェクタとコンピュータとを接続してプレゼンテーション行う場合などである。プレゼンテーションを行う場合、スクリーンに画像を投写した後、長時間コンピュータを操作せずに説明を行うことが考えられる。このため、省電力モードに移行してコンピュータ（ディスプレイ）への電源供給が停止されると、スクリーンに画像が表示されなくなり、プレゼンテーションが中断されてしまうという問題がある。これを回避するために、コンピュータの電源管理の設定を変更することが考えられるが、一般のユーザ（特に、コンピュータに精通していないユーザ）が電源管理の設定変更を行うことは困難であり、手間がかかるという問題がある。
【０００４】
本発明は、このような問題点に鑑み、コンピュータの状態に関わらず、ディスプレイの画面表示の中断を容易に防止できる外部記憶媒体および情報処理システムを提供することを目的とする。
【課題を解決するための手段】
【０００５】
本発明の外部記憶媒体は、情報処理装置で読み取り可能な外部記憶媒体であって、情報処理装置に対して、情報処理装置の操作に伴い出力される操作信号を予め設定された所定間隔で出力する操作信号出力プログラムと、情報処理装置に操作信号出力プログラムを自動実行させるための自動実行スクリプトと、を記憶することを特徴とする。
【０００６】
この外部記憶媒体を用いることにより、情報処理装置に自動で操作信号出力プログラムを実行させ、所定間隔で操作信号を出力することができる。これにより、例えば、情報処理装置の省電力モード（スリープ状態やスタンバイ状態）への移行や、スクリーンセーバの起動などを容易に防止できる。特に、プロジェクタと情報処理装置とを接続してプレゼンテーションを行う場合、情報処理装置が省電力モードに移行し、ディスプレイへの電源供給が停止されることでプレゼンテーションが中断されることを防止できるため、有効である。なお、操作信号とは、キーボードによる入力やマウスの移動などによる入力信号である。
【０００７】
本発明の外部記憶媒体において、操作信号出力プログラムは、情報処理装置から、当該情報処理装置に設定された省電力モードへの移行時間に関する設定情報を取得し、設定情報よりも短い所定間隔で操作信号を出力することが好ましい。
【０００８】
この構成によれば、情報処理装置に設定された省電力モードへ移行するまでの時間よりも短い間隔で操作信号を出力することができる。これにより、情報処理装置の省電力モードへの移行を確実に防止することができる。なお、省電力モードへ移行するまでの時間のみならず、スクリーンセーバが起動するまでの時間も考慮して操作信号の出力間隔を決定することが好ましい。
【０００９】
本発明の外部記憶媒体は、ＵＳＢメモリであることが好ましい。
【００１０】
この構成によれば、広く普及しているＵＳＢメモリを用いることで、一般のユーザでも容易に使用することができる。また、読み書き可能な媒体であるため、プログラムの修正などを簡単に行うことができる。
【００１１】
本発明の情報処理システムは、上記に記載の外部記憶媒体と、外部記憶媒体を読み取る情報処理装置と、から構成される情報処理システムであって、情報処理装置は、外部記憶媒体が接続されたことを検出する検出手段と、外部記憶媒体に記憶された所定のプログラムを実行するプログラム実行手段と、を備え、プログラム実行手段は、検出手段による検出をトリガとして、外部記憶媒体に記憶された自動実行スクリプトにより操作信号出力プログラムを実行することを特徴とする。
【００１２】
この情報処理システムでは、情報処理装置に外部記憶媒体が装着されたことを検出すると、これをトリガとして外部記憶媒体に記憶されている自動実行スクリプトを実行することで操作信号出力プログラムを自動実行する。これにより、情報処理装置は所定間隔で操作信号を検出することと成り、情報処理装置の状態（電源管理などの設定）に関わらず、省電力モードへの移行や、スクリーンセーバの起動などを容易に防止できる。
【発明を実施するための最良の形態】
【００１３】
以下、添付の図面を参照して、本発明の一実施形態に係る外部記憶媒体および情報処理システムについて説明する。なお、本実施形態では、情報処理システムをプロジェクタシステムに適用した場合を例に挙げて説明する。
【００１４】
図１は、本発明の一実施形態に係るプロジェクタシステム１の機器構成を示す図である。同図に示すように、本実施形態のプロジェクタシステム１は、画像を投写するプロジェクタ２と、パーソナルコンピュータ等の情報処理装置３と、情報処理装置３に装着される外部記憶媒体４と、画像が投写されるスクリーン５と、から構成され、プロジェクタ２と情報処理装置３とはネットワーク６を介して接続されている。なお、プロジェクタ２と情報処理装置３とを接続するネットワーク６は、無線／有線を問わない。
【００１５】
情報処理装置３は、プロジェクタ２に対してネットワーク６を介して投写対象となる画像情報を供給する。また、装着された外部記憶媒体４を自動検出し、当該外部記憶媒体４に記録されたデータの読み取りやプログラムの実行を行う（詳細は後述する）。プロジェクタ２は、情報処理装置３から供給された画像情報に基づいて、情報処理装置３の表示部６４に表示されている画像と同様の画像をスクリーン５に投写する。外部記憶媒体４は、例えば、ＵＳＢメモリ１１等の持ち運び可能な記憶媒体であり、情報処理装置３で実行可能なプログラムやプロジェクタ２で投写するための画像情報等を記録している。外部記憶媒体４として広く普及しているＵＳＢメモリ１１を用いることで、一般のユーザでも容易に使用することができる。また、読み書き可能な媒体であるため、プログラムの修正などを簡単に行うことができる。なお、外部記憶媒体４としては、ＵＳＢメモリ１１以外にも光ディスク１２、フレキシブルディスク１３等を適用することが可能である。
【００１６】
次に、図２のブロック図を参照して、本発明に係るプロジェクタシステム１を構成するプロジェクタ２、情報処理装置３および外部記憶媒体４について説明する。
【００１７】
プロジェクタ２は、液晶パネル３５を利用して画像を投写する液晶プロジェクタであり、同図に示すように、操作部２１、表示部２２、通信部２３、接続部２４、映像信号処理部２５、投写部２６、冷却部２８およびこれら各部を制御する制御部２９を備えている。
【００１８】
操作部２１は、電源ボタンや各種設定（コントラスト設定、色補正、環境設定など）を行うためのパネルキーや、リモコンなどによって構成されるものであり、ユーザによるプロジェクタ２に対する各種指示などに用いられる。表示部２２は、ＬＥＤランプ３１により構成され、プロジェクタ２の動作に基づいて点灯／消灯することで、ユーザにプロジェクタ２の動作状況を報知するものである。通信部２３は、ネットワーク６を介して情報処理装置３と接続し、データ通信を行う。接続部２４は、ＵＳＢコネクタや周辺機器を接続するためのコネクタ（例えば、Ｄ−Ｓｕｂ、ＤＶＩ−Ｄ、Ｓ端子など）を有している。
【００１９】
映像信号処理部２５は、例えば、外部から供給された画像信号を入力し、プロジェクタ２内部で処理可能な形式の画像データに変換する。そして、変換した画像データに対して、輝度調整、色バランス調整、コントラスト調整などの画質調整を行う。投写部２６は、液晶パネル３５と、液晶パネル３５を制御する液晶パネル制御部３２と、投写光の光源となる光源ランプ３６と、光源ランプ３６を制御する光源ランプ制御部３３と、光源ランプ３６からの投写光をスクリーン５上に拡大投写する投写レンズ３７と、投写レンズ３７の駆動を制御するレンズ制御部３４とを有している。
【００２０】
制御部２９は、プロジェクタ２を統括制御するＣＰＵ４０（Central Processing Unit）と、各種処理を行う際の作業領域として使用されるＲＡＭ４１（Random Access Memory）と、プロジェクタ２を制御するための制御プログラムなどが記憶されたＲＯＭ４２（又は、フラッシュＲＯＭ）とを有している。ＣＰＵ４０は、ＲＯＭ４２の制御プログラムに従ってＲＡＭ４１などに記憶されたデータの処理を行う。
【００２１】
外部記憶媒体４は、プログラム記憶部５１を有している。プログラム記憶部５１は、情報処理装置３の操作に伴い出力される操作信号（例えば、キーボード入力やマウス操作に伴う信号）を所定間隔で擬似的に出力するための操作信号出力プログラム５５が記憶されている。具体的には、情報処理装置３がこのプログラムを実行することにより、情報処理装置３自身に設定された省電力モード（スリープ状態やスタンバイ状態）への移行時間（省電力モードへ移行するまでの時間）に関する設定情報を取得し、当該設定情報（移行時間）よりも短い間隔を操作信号の出力間隔として設定する。そして、この設定した出力間隔で操作信号を出力する。設定された省電力モードへの移行時間より短い間隔で操作信号を出力することにより、情報処理装置３の省電力モードへの移行を確実に防止することができる。
【００２２】
また、プログラム記憶部５１には、外部記憶媒体４が情報処理装置３に装着された場合に、情報処理装置３により自動実行される自動実行スクリプト５６（例えば、Autorun.inf等）が記録されている。この自動実行スクリプト５６には、実行対象となるプログラム名（ここでは、操作信号出力プログラム５５）やパラメタ等の情報が指定されており、これら情報に従って実行対象となるプログラムを自動的に実行する。つまり、情報処理装置３により自動実行スクリプト５６が自動実行されることにより、操作信号出力プログラム５５も自動実行されることとなる。
【００２３】
情報処理装置３は、プロジェクタ２に画像データやコマンドを送信するサーバの役目を担う。情報処理装置３は、記憶部６１、通信部６２、接続部６３、表示部６４、電源管理部６５、検出部６６、プログラム実行部６７および制御部６８を有する他、一般的なパーソナルコンピュータに搭載されるハードウェア構成を備えている。
【００２４】
記憶部６１は、プロジェクタ用プログラム７１を記憶する。制御部６８（ＣＰＵ７２）は、プロジェクタ用プログラム７１を実行することでプロジェクタ２に対して画像データおよびコマンドの送受信等の処理を行う。通信部６２は、ネットワーク６を介してプロジェクタ２と接続し、データ通信を行う。この通信は、ＴＣＰ（Transmission Control Protocol）に基づいて行われる。接続部６３は、外部記憶媒体４を接続する、あるいは外部記憶媒体４を読み書きする装置を接続するためのコネクタである。
【００２５】
表示部６４は、プロジェクタ２によりスクリーン５に投写される画像を表示する。つまり、表示部６４に表示される画像と同一の画像がスクリーン５に投写される。電源管理部６５は、表示部６４に対しての電源供給や電源供給の停止を行う。この電源管理部６５には省電力モードへの移行時間が設定されている。この移行時間が経過するまでに操作信号が無い場合は、電源管理部６５は、表示部６４に対しての電源供給を停止し、表示部６４の状態をスリープ状態やスタンバイ状態などの省電力モードへと遷移させる。検出部６６は、情報処理装置３に外部記憶媒体４が装着あるいは取り外されたことを検出する。プログラム実行部６７は、検出部６６により検出された外部記憶媒体４に記憶されている自動実行スクリプト５６を実行する。また、プログラム実行部６７は、自動実行スクリプト５６に指定されている実行対象となるプログラムを実行する手段でもある。
【００２６】
制御部６８は、ＣＰＵ７２と、各種処理を行う際の作業領域として使用されるＲＡＭ７３と、情報処理装置３を制御するための制御プログラムなどが記憶されたＲＯＭ７４とを有している。ＣＰＵ７２は、ＲＯＭ７４の制御プログラムに従ってＲＡＭ７３などに記憶されたデータの処理を行う。また、ＣＰＵ７２は、検出部６６により外部記憶媒体４が検出されると、これをトリガとしてプログラム実行部６７により当該外部記憶媒体４に記憶されている自動実行スクリプト５６を自動的に実行すると共に、当該自動実行スクリプト５６に指定されている操作信号出力プログラム５５を自動的に実行する。
【００２７】
ここで、図３を参照して、情報処理装置３に対して所定間隔で操作信号を出力する手順について説明する。
【００２８】
まず、情報処理装置３に外部記憶媒体４が装着されると、情報処理装置３はこれを検出する（Ｓ０１）。この外部記憶媒体４の検出をトリガとして、情報処理装置３は、当該外部記憶媒体４に記録されている自動実行スクリプト５６を自動的に実行する（Ｓ０２）。この自動実行スクリプト５６には、操作信号出力プログラム５５の実行が指定されており、情報処理装置３は、この指定に基づいて操作信号出力プログラム５５を自動的に実行する（Ｓ０３）。次に、操作信号出力プログラム５５は、電源管理部６５で設定されている省電力モードへの移行時間に関する設定情報を取得する（Ｓ０４）。そして、操作信号出力プログラム５５は、取得した設定情報に基づき、操作信号の出力間隔を上記の移行時間よりも短い間隔に設定する（Ｓ０５）。例えば、省電力モードへの移行時間が３０分に設定されている場合、操作信号の出力間隔は３０分未満に設定する。この場合、出力間隔は、移行時間から所定時間を差し引く、あるいは移行時間に所定の割合を掛けるなどして求めることが考えられる。続いて、操作信号出力プログラム５５は、操作信号の出力間隔の時間を計測するためのタイマを初期化すると共に当該タイマを起動する（Ｓ０６）。そして、操作信号の出力間隔の時間が経過すると（Ｓ０７）、情報処理装置３は、キーボード入力信号やマウス操作信号等の操作信号を出力する（Ｓ０８）。操作信号の出力後、情報処理装置３は、Ｓ０６からＳ０８の処理を繰り返す。これにより、定期的に所定間隔（設定した出力間隔）で操作信号を出力することができる。なお、操作信号としてキーボード入力信号を出力する場合、情報処理装置３に影響が少ないキーの入力信号（例えば、「Ｓｈｉｆｔキー」を押下した際の入力信号）を出力することが好ましい。
【００２９】
次に、図４を参照して、情報処理装置３に対しての操作信号の出力を停止する手順について説明する。まず、情報処理装置３から外部記憶媒体４が取り外されると、情報処理装置３はこれを検出する（Ｓ１１）。この検出結果をトリガとして、情報処理装置３は、操作信号出力プログラム５５を停止し、これにより操作信号の出力を停止する（Ｓ１２）。その後、情報処理装置３は、電源管理部６５に設定されている設定情報に基づき処理を行う（Ｓ１３）。
【００３０】
以上、本実施形態によれば、情報処理装置３は外部記憶媒体４が装着（接続や挿入）されたことを検出すると、これをトリガとして外部記憶媒体４に記憶されている自動実行スクリプト５６を実行（起動）することで操作信号出力プログラム５５を自動実行し、所定間隔で操作信号を出力することができる。これにより、情報処理装置３の状態に関わらず、省電力モード（スリープ状態やスタンバイ状態）への移行を容易に防止できる。特に、プロジェクタ２と情報処理装置３とを接続してプレゼンテーションを行う場合、情報処理装置３が省電力モードに移行し、表示部６４への電源供給が停止されることでプレゼンテーションが中断されることを防止できるため、有効である。
【００３１】
なお、本発明は、情報処理装置３の省電力モードへの移行防止のみならず、スクリーンセーバの起動防止にも適用可能である。この場合、スクリーンセーバが起動する時間間隔を取得し、この間隔よりも短い間隔で操作信号を出力する。また、省電力モードへの移行時間およびスクリーンセーバが起動する時間間隔の両方の設定情報を取得し、これら両方の時間よりも短い間隔で操作信号を出力するようにしてもよい。
【００３２】
また、上記の実施形態では、プロジェクタ２の表示方式として、液晶表示方式を採用しているが、ＣＲＴ表示方式やライトスイッチ表示方式（マイクロミラーデバイス方式）など、表示原理は問わない。
【００３３】
また、上述した実施例によらず、プロジェクタ２および情報処理装置３の装置構成や処理工程等について、本発明の要旨を逸脱しない範囲で、適宜変更も可能である。
【図面の簡単な説明】
【００３４】
【図１】本実施形態のプロジェクタシステムのシステム構成図である。
【図２】プロジェクタシステムの制御ブロック図である。
【図３】情報処理装置に対して所定間隔で操作信号を出力する手順について説明するフローチャートである。
【図４】情報処理装置に対しての操作信号の出力を停止する手順について説明するフローチャートである。
【符号の説明】
【００３５】
３…情報処理装置  ４…外部記憶媒体  １１…ＵＳＢメモリ  ５５…操作信号出力プログラム  ５６…自動実行スクリプト  ６６…検出部  ６７…プログラム実行部
【図１】
2009151442.tif 000003
【図２】
2009151442.tif 000004
【図３】
2009151442.tif 000005
【図４】
2009151442.tif 000006